(57)【要約】【課題】湿式太陽光発電装置の光電変換素子に含まれる液体電解質の液漏れが発生しているか否かを、湿式太陽光発電装置が設置された場所とは異なる場所で判定可能な電子機器を提供する。【解決手段】電子機器である管理サーバ装置３００は、湿式の太陽光モジュール１００の光電変換素子に含まれる液体電解質の液面の高さに応じた信号を出力する液面測定センサ２１０から当該信号を取得する取得部３２１と、当該信号が液面の高さが閾値以上であることを示すものか否かを判定する判定部３２２と、判定部３２２による判定結果に基づいた出力を行なう出力部３４０とを備える。【選択図】図４
2014020991.tif 000002
【特許請求の範囲】
【請求項１】
湿式の太陽光モジュールの光電変換素子に含まれる液体電解質の液面の高さに応じた信号を出力する第１のセンサから、前記信号を取得する取得手段と、
前記信号が、前記液面の高さが閾値以上であることを示すものか否かを判定する判定手段と、
前記判定手段による判定結果に基づいた出力を行なう出力手段とを備える、電子機器。
【請求項２】
前記取得手段は、前記湿式の太陽光モジュールの出力を表した出力情報を出力する第２のセンサから、前記出力情報をさらに取得し、
前記判定手段は、
前記出力された出力情報に基づき、前記湿式の太陽光モジュールが正常または異常であるかを判定し、
前記湿式の太陽光モジュールが異常であると判定した場合に、前記信号が、前記液面の高さが閾値以上であることを示すものか否かを判定する、請求項１に記載の電子機器。
【請求項３】
前記取得手段は、前記湿式の太陽光モジュールが設置された場所に照射される太陽光のスペクトル情報を出力する第３のセンサから、前記スペクトル情報をさらに取得し、
前記電子機器は、
前記光電変換素子の光電変換層に用いることが可能な複数の光増感素子の各々について、波長と当該波長における吸収率との関係を波長毎に表した光増感素子の特性情報を記憶した記憶手段と、
前記特性情報および前記出力されたスペクトル情報に基づいて、前記複数の光増感素子から少なくとも１つの光増感素子を選定する選定手段とをさらに備え、
前記出力手段は、前記選定された光増感素子をさらに出力する、請求項２に記載の電子機器。
【請求項４】
前記取得手段は、
前記湿式の太陽光モジュールが異常であると判定された場合に、前記第１のセンサに対して前記信号を出力させるための指示を送信し、
前記湿式の太陽光モジュールが正常であると判定された場合には、前記指示を送信しない、請求項２または３に記載の電子機器。
【請求項５】
センサおよび電子機器を備えた通信システムであって、
前記センサは、湿式の太陽光モジュールの光電変換素子に含まれる液体電解質の液面の高さに応じた信号を、前記電子機器に対して出力し、
前記電子機器は、
前記センサから前記信号を取得し、
前記信号が、前記液面の高さが閾値以上であることを示すものか否かを判定し、
前記判定手段による判定結果に基づいた出力を行なう、通信システム。
【請求項６】
湿式の太陽光モジュールの光電変換素子に含まれる液体電解質の液面の高さに応じた信号を出力するセンサから、前記信号を取得するステップと、
前記信号が、前記液面の高さが閾値以上であることを示すものか否かを判定するステップと、
前記判定結果に基づいた出力を行なうステップとを備える、情報処理方法。
【請求項７】
電子機器を制御するためのプログラムであって、
湿式の太陽光モジュールの光電変換素子に含まれる液体電解質の液面の高さに応じた信号を出力するセンサから、前記信号を取得するステップと、
前記信号が、前記液面の高さが閾値以上であることを示すものか否かを判定するステップと、
前記判定結果に基づいた出力を行なうステップとを、前記電子機器のプロセッサに実行させる、プログラム。
【発明の詳細な説明】
【技術分野】
【０００１】
本発明は、電子機器、通信システム、情報処理方法、およびプログラムに関し、特に、太陽光発電装置を管理するための電子機器、当該電子機器を備えた通信システム、当該電子機器における情報処理方法、および当該電子機器を制御するためのプログラムに関する。
【背景技術】
【０００２】
従来、持続可能な社会の構築に対する要望が高まり、脱化石燃料のための再生可能エネルギーの候補として太陽光発電への注目がさらに高まっている。たとえば、結晶系シリコン基盤を用いた太陽光発電装置および薄膜シリコン太陽光発電装置が知られている。
【０００３】
しかしながら、結晶系シリコン基盤を用いた太陽光発電装置はシリコン基盤の作製コストが高い。また、薄膜シリコン太陽光発電装置の作製には、多種の半導体ガスや複雑な装置を用いる必要がある。このように、これらの太陽光発電装置の製造コストは高くなってしまう。そこで、これらの太陽光発電装置に関し、光電変換の高効率化による発電出力当たりのコストを低減する努力が続けられている。
【０００４】
その一方、近年、新しいタイプの太陽光発電装置として金属錯体の光誘起電子移動を応用した湿式太陽光発電装置が開発されている。湿式太陽光発電装置は、ガラス基板上にそれぞれ形成された電極間に光電変換層と液体電解質とを用いて光電変換素子を構成したものである。光電変換層は、光増感色素を含んでいるため、可視光領域に吸収スペクトルを持つようになる。光電変換層に光が照射されると電子が発生し、電子は外部電気回路を通って電極に移動する。電極に移動した電子は、液体電解質中のイオンによって運ばれ、対向する電極を経由して光電変換層に戻る。これにより、電気エネルギーを外部に取り出すことが可能となる。湿式太陽光発電装置は、結晶系シリコン基盤を用いた太陽光発電装置等の従来の太陽光発電装置と比較して、材料が安価であること、真空装置等の大掛かりな設備を必要としないことから、低コストの太陽光発電装置として多くの期待を集めている。
【０００５】
また、従来、太陽光発電装置を構成する太陽電池モジュール（太陽光モジュール）に劣化または故障が発生しているか否かを判断するためのシステムまたは装置が開発されている。
【０００６】
特許文献１には、当該システムとして、センサ装置と、故障判定装置とを備えた故障判定システムが開示されている。当該センサ装置は、太陽電池モジュールに関する状態値を測定するセンサ部と、測定結果である状態値を送信する送信部とを有する。当該故障判定装置は、センサ装置から状態値を受信する受信部と、閾値を記憶する記憶部と、状態値と閾値とを比較することによって太陽電池モジュールの劣化または故障を判定する故障判定部と、判定結果を出力する出力部とを有する。特許文献１では、このような構成により、太陽電池モジュールに劣化または故障が発生しているか否かを自動で判断しようとしている。
【０００７】
特許文献２には、太陽電池モジュールに劣化または故障が発生しているか否かを判断するための装置として、故障診断装置が開示されている。当該故障診断装置は、太陽電池モジュールの各太陽電池の出力を検出する複数の電圧計と、太陽電池モジュールに設けられ波長感度の異なる複数のフォトダイオードと、メモリを有する故障判定用コントローラとを備えている。当該メモリには、太陽電池モジュールに入射される複数の太陽光スペクトル状態に対応する各太陽電池の出力予想値が予め記憶されている。故障判定用コントローラは、各フォトダイオードの出力に基づいて太陽光のスペクトル状態を推定し、当該太陽光のスペクトル状態に対応する各太陽電池の出力予想値を取得する。故障判定用コントローラは、取得した出力予想値と各電圧計の測定値（各太陽電池の実出力値）とを比較して、各太陽電池の故障判断を行う。
【先行技術文献】
【特許文献】
【０００８】
【特許文献１】特開２０１０−１２３８８０号公報
【特許文献２】特開２００９−４３９８７号公報
【発明の概要】
【発明が解決しようとする課題】
【０００９】
しかしながら、上述した故障判定装置または故障診断装置では、当該装置のユーザは、故障または劣化が、液体電解質の液漏れによるものか、それ以外の要因によるものなのかを判断できない。
【００１０】
本発明は、上記の問題点に鑑みなされたものであって、その目的は、湿式太陽光発電装置の光電変換素子に含まれる液体電解質の液漏れが発生しているか否かを、湿式太陽光発電装置が設置された場所とは異なる場所で判定可能な電子機器、当該電子機器における情報処理方法、当該電子機器を制御するためのプログラムを提供することにある。
【課題を解決するための手段】
【００１１】
本発明のある局面に従うと、電子機器は、湿式の太陽光モジュールの光電変換素子に含まれる液体電解質の液面の高さに応じた信号を出力する第１のセンサから、信号を取得する取得手段と、信号が、液面の高さが閾値以上であることを示すものか否かを判定する判定手段と、判定手段による判定結果に基づいた出力を行なう出力手段とを備える。
【００１２】
好ましくは、取得手段は、湿式の太陽光モジュールの出力を表した出力情報を出力する第２のセンサから、出力情報をさらに取得する。判定手段は、出力された出力情報に基づき、湿式の太陽光モジュールが正常または異常であるかを判定する。判定手段は、湿式の太陽光モジュールが異常であると判定した場合に、信号が、液面の高さが閾値以上であることを示すものか否かを判定する。
【００１３】
好ましくは、取得手段は、湿式の太陽光モジュールが設置された場所に照射される太陽光のスペクトル情報を出力する第３のセンサから、前記スペクトル情報をさらに取得する。電子機器は、光電変換素子の光電変換層に用いることが可能な複数の光増感素子の各々について、波長と当該波長における吸収率との関係を波長毎に表した光増感素子の特性情報を記憶した記憶手段と、特性情報および出力されたスペクトル情報に基づいて、複数の光増感素子から少なくとも１つの光増感素子を選定する選定手段とをさらに備える。出力手段は、選定された光増感素子をさらに出力する。
【００１４】
好ましくは、取得手段は、湿式の太陽光モジュールが異常であると判定された場合に、第１のセンサに対して信号を出力させるための指示を送信し、湿式の太陽光モジュールが正常であると判定された場合には、指示を送信しない。
【００１５】
本発明の他の局面に従うと、通信システムは、センサおよび電子機器を備える。センサは、湿式の太陽光モジュールの光電変換素子に含まれる液体電解質の液面の高さに応じた信号を、電子機器に対して出力する。電子機器は、センサから信号を取得する。電子機器は、信号が、液面の高さが閾値以上であることを示すものか否かを判定する。電子機器は、判定手段による判定結果に基づいた出力を行なう。
【００１６】
本発明のさらに他の局面に従うと、情報処理方法は、湿式の太陽光モジュールの光電変換素子に含まれる液体電解質の液面の高さに応じた信号を出力するセンサから、信号を取得するステップと、信号が、液面の高さが閾値以上であることを示すものか否かを判定するステップと、判定結果に基づいた出力を行なうステップとを備える。
【００１７】
本発明のさらに他の局面に従うと、プログラムは、電子機器を制御する。プログラムは、湿式の太陽光モジュールの光電変換素子に含まれる液体電解質の液面の高さに応じた信号を出力するセンサから、信号を取得するステップと、信号が、液面の高さが閾値以上であることを示すものか否かを判定するステップと、判定結果に基づいた出力を行なうステップとを、電子機器のプロセッサに実行させる。
【発明の効果】
【００１８】
本発明によれば、湿式太陽光発電装置の光電変換素子に含まれる液体電解質の液漏れが発生しているか否かを、湿式太陽光発電装置が設置された場所とは異なる場所で判定可能となる。
【図面の簡単な説明】
【００１９】
【図１】太陽光発電システムを構成する湿式太陽光発電装置の設置態様を説明するための図である。
【図２】太陽光モジュールおよびセンサユニットを説明するための図である。
【図３】液面測定センサによる測定を説明するための図である。
【図４】太陽光発電システムの機能的構成を説明するための図である。
【図５】管理サーバ装置の制御部における入出力されるデータを表した図である。
【図６】記憶部に予め格納されている色素情報６００を説明するための図である。
【図７】経年劣化に伴う予測出力を表した図である。
【図８】管理サーバ装置がスペクトル情報を利用しない場合における、管理サーバ装置における処理の流れを表したフローチャートである。
【図９】管理サーバ装置がスペクトル情報を利用する場合における、管理サーバ装置における処理の流れを表したフローチャートである。
【図１０】管理サーバ装置のハードウェア構成を表わすブロック図である。
【図１１】液面測定センサとは異なる液面測定センサを用いた構成を説明するための図である。
【図１２】太陽光モジュールをマンションの屋上に設置した状態を表した図である。
【発明を実施するための形態】
【００２０】
＜Ａ．システム構成＞
図１は、太陽光発電システムを構成する湿式太陽光発電装置の設置態様を説明するための図である。図１を参照して、マンションの壁面には、湿式太陽光発電装置１０を構成する複数の太陽光モジュール（ソーラパネル）１００がマトリクス状に設置されている。なお、図１では、マンションの各戸に１つの太陽光モジュールが配置される例をあげているが、これに限定されるものではない。
【００２１】
図２は、太陽光モジュール１００およびセンサユニット２００を説明するための図である。図２（Ａ）は、太陽光モジュール１００の受光面を表した図である。図２（Ｂ）は、図２（Ａ）のIII−III線矢視断面図である。図２（Ｃ）は、太陽光モジュール１００の受光面の裏面を表した図である。
【００２２】
図２（Ａ）を参照して、太陽光モジュール１００は、複数の太陽電池セル（光電変換素子）１０１を有している。図２（Ｂ）を参照して、複数の太陽電池セル１０１の各々は、受光面側から裏面側に向けて、光電変換層Ｓと液体電解質Ｌ（電解質溶液）とをこの順に備えている。光電変換層Ｓには、光増感素子（以下、「色素」と称する）が含まれている。
【００２３】
色素としては、可視光領域および／または赤外光領域に吸収をもつ種々の有機色素であっても良いし、可視光領域および／または赤外光領域に吸収をもつ種々の金属錯体色素であっても良い。これらの色素を単独で用いても良いし、２種以上を混合して用いても良い。
【００２４】
有機色素としては、たとえば、アゾ系色素、キノン系色素、キノンイミン系色素、キナクリドン系色素、スクアリリウム系色素、シアニン系色素、メロシアニン系色素、トリフェニルメタン系色素、キサンテン系色素、ポルフィリン系色素、ペリレン系色素、インジゴ系色素、またはナフタロシアニン系色素などが挙げられる。
【００２５】
金属錯体色素としては、Ｃｕ、Ｎｉ、Ｆｅ、Ｃｏ、Ｖ、Ｓｎ、Ｓｉ、Ｔｉ、Ｇｅ、Ｃｒ、Ｚｎ、Ｒｕ、Ｍｇ、Ａｌ、Ｐｂ、Ｍｎ、Ｉｎ、Ｍｏ、Ｙ、Ｚｒ、Ｎｂ、Ｓｂ、Ｌａ、Ｗ、Ｐｔ、ＴＡ、Ｉｒ、Ｐｄ、Ｏｓ、Ｇａ、Ｔｂ、Ｅｕ、Ｒｂ、Ｂｉ、Ｓｅ、Ａｓ、Ｓｃ、Ａｇ、Ｃｄ、Ｈｆ、Ｒｅ、Ａｕ、Ａｃ、Ｔｃ、Ｔｅ、またはＲｈなどの金属原子に配位子が配位結合した形態のものが挙げられる。金属錯体色素は、たとえば、ポルフィリン系色素、フタロシアニン系色素、またはナフタロシアニン系色素である。
【００２６】
液体電解質Ｌは、酸化還元種を含む液状物であればよく、一般に電池または太陽電池などにおいて使用できるものであれば特に限定されない。具体的には、液体電解質としては、酸化還元種と酸化還元種を溶解可能な溶剤とからなるもの、酸化還元種と酸化還元種を溶解可能な溶融塩とからなるもの、または酸化還元種と上記溶剤と上記溶融塩とからなるものが挙げられる。
【００２７】
酸化還元種としては、たとえばＩ-／Ｉ3-系、Ｂｒ2-／Ｂｒ3-系、Ｆｅ2+／Ｆｅ3+系、またはキノン／ハイドロキノン系などが挙げられる。酸化還元種を溶解可能な溶媒としては、たとえば、プロピレンカーボネートなどのカーボネート化合物、アセトニトリルなどのニトリル化合物、エタノールなどのアルコール類、水、または非プロトン極性物質などが挙げられる。
【００２８】
各太陽電池セル１０１には、光電変換層Ｓ側の内壁に、反射面１１１ａが液体電解質Ｌに達するように反射板１１１が取り付けられている。また、各太陽電池セル１０１は、液体電解質Ｌ側の内壁に、反射面１１１ａと対向する位置に透明な窓１１２が設けられている。
【００２９】
図２（Ｂ）および（Ｃ）を参照して、センサユニット２００は、液面測定センサ２１０と、導波路２２０と、スペクトル測定センサ２４０と、出力測定センサ２５０と、データ処理装置２６０とを備える。
【００３０】
液面測定センサ２１０は、導波路２２０に重ねて設置される。液面測定センサ２１０は、レーザ光を発光し、当該レーザ光の反射光を受光する。詳細については後述するが、液面測定センサ２１０は、液体電解質Ｌの液面の高さに応じた信号を出力する。なお、液面測定センサ２１０は、太陽電池セル１０１の上部に設置されることが、液漏れを早期に発見できる観点から好ましい。
【００３１】
導波路２２０は、各窓１１２に重ねて設置される。導波路２２０は、液面測定センサ２１０が発光したレーザ光を分波して、各太陽電池セル１０１に対応する各窓１１２にレーザ光を導光する。また、導波路２２０は、各反射板１１１によって反射されたレーザ光であって、対応する窓１１２を通過して導波路２２０に入射したレーザ光を、液面測定センサ２１０まで導光する。液面測定センサ２１０は、測定結果（以下、「液面情報」とも称する）を、データ処理装置２６０に送る。
【００３２】
スペクトル測定センサ２４０は、たとえば太陽光モジュール１００の上部に取り付けられる。スペクトル測定センサ２４０は、太陽光モジュール１００が設置された場所に照射される太陽光のスペクトル状態を測定する。スペクトル測定センサ２４０は、測定結果（スペクトル情報）を、データ処理装置２６０に送る。
【００３３】
出力測定センサ２５０は、太陽光モジュール１００による出力を測定する。具体的には、出力測定センサ２５０は、太陽光モジュール１００の発電量、電圧値、および電流値を測定する。出力測定センサ２５０は、これらの測定結果をデータ処理装置２６０に送る。
【００３４】
データ処理装置２６０は、各種データの処理、および後述する管理サーバ装置３００との通信を行なう。また、データ処理装置２６０は、太陽光モジュール１００が設置されている場所の天候情報を、管理サーバ装置３００が構成する太陽光発電システムとは異なる外部のネットワークシステムから取得する。データ処理装置２６０の詳細については後述する。
【００３５】
図３は、液面測定センサ２１０による測定（センシング）を説明するための図である。図３（Ａ）は、太陽電池セル１０１から液体電解質Ｌが漏れていないときの状態を表した図である。図３（Ｂ）は、太陽電池セル１０１から液体電解質Ｌが漏れているときの状態を表した図である。
【００３６】
図３（Ａ）を参照して、液面測定センサ２１０は、発光素子２１１と受光素子２１２とを備える。発光素子２１１は、上述したレーザ光を導波路２２０に照射する。その後、当該レーザ光は、窓１１２から太陽電池セル１０１の内部に進む。窓１１２から照射されたレーザ光は、液体電解質Ｌに入射する。
【００３７】
太陽電池セル１０１から液体電解質Ｌが漏れていないときには、液体電解質Ｌによってレーザ光が減衰する。このため、受光素子２１２では、レーザ光は受光されないか、あるいは出射直後に比べて弱い強度のレーザ光（反射光）しか受光されない。
【００３８】
図３（Ｂ）を参照して、太陽電池セル１０１から液体電解質Ｌが漏れているときには、液体電解質Ｌの液面Ｌｓの高さが低下する。液面Ｌｓの高さが或る程度の低下した場合、
液体電解質Ｌによってレーザ光が減衰することはない。このため、受光素子２１２では、一定強度以上のレーザ光を受光することになる。
【００３９】
＜Ｂ．機能ブロック図＞
図４は、太陽光発電システム１の機能的構成を説明するための図である。図４を参照して、太陽光発電システム１は、太陽光モジュール１００と、センサユニット２００と、管理サーバ装置３００とを備える。図４においては、１つのセンサユニット２００しか図示していないが、実際には、管理サーバ装置３００と複数のセンサユニット２００とが通信することになる。以下では、１つの太陽光モジュール１００と、当該太陽光モジュール１００に対応して設置された１つのセンサユニット２００とに着目して説明する。
【００４０】
センサユニット２００は、上述したように、液面測定センサ２１０と、スペクトル測定センサ２４０と、出力測定センサ２５０と、データ処理装置２６０とを備える。データ処理装置２６０は、制御部２６１と、通信処理部２６２とを有する。
【００４１】
制御部２６１は、各センサ２１０，２４０，２５０の動作のオンおよびオフを制御する。たとえば、制御部２６１は、各センサ対して測定（センシング）を実行させたり、測定を中止させたりする。制御部２６１は、具体的には、プロセッサと、メモリと、当該メモリに格納された各種のプログラムおよびデータにより実現される。
【００４２】
通信処理部２６２は、ネットワーク９００を介して管理サーバ装置３００と通信するためのデータ処理を行なう。すなわち、通信処理部２６２は、センサユニット２００の通信インターフェイスの機能を有する。また、通信処理部２６２は、制御部２６１の指示に基づき動作する。
【００４３】
制御部２６１は、通信処理部２６２およびネットワーク９００を介して、各種データを管理サーバ装置３００に送信する。また、制御部２６１は、通信処理部２６２およびネットワーク９００を介して、管理サーバ装置３００からの指令を受け取る。
【００４４】
ネットワーク９００は、たとえば、インターネット網である。なお、これに限定されず、ネットワーク９００は、携帯電話におけるキャリア網、ＷＡＮ（Wide Area Network）、ＬＡＮ（Local Area Network）、またはＢｌｕｅｔｏｏｔｈ（登録商標）であってもよい。センサユニット２００と管理サーバ装置３００との間の通信については、マンションの戸毎に行なってもよいし、あるいは、マンション内に設けたサーバ装置（図示せず）をもちいて複数の戸毎に行なってもよい。各センサユニット２００と、管理サーバ装置３００との通信方法は、特に限定されるものではない。
【００４５】
管理サーバ装置３００は、通信処理部３１０と、制御部３２０と、記憶部３３０と、出力部３４０とを含む。制御部３２０は、取得部３２１と、判定部３２２と、選定部３２３とを有する。
【００４６】
通信処理部３１０は、ネットワーク９００を介してセンサユニット２００と通信するためのデータ処理を行なう。すなわち、通信処理部３１０は、管理サーバ装置３００の通信インターフェイスの機能を有する。通信処理部３１０は、制御部３２０の指示に基づき動作する。
【００４７】
記憶部３３０は、各種のプログラムおよびデータが予め格納されている。たとえば、記憶部３３０には、太陽光モジュール１００の情報（以下、「装置情報」と称する）として、太陽光モジュールのＩＤ、型番、設置場所、定格出力、経年劣化に伴う予測出力、設置日、太陽電池セル１０１を交換した場合には当該交換日、太陽電池セル１０１の耐用年数（寿命）等が予め格納されている。また、記憶部３３０には、色素情報が予め格納されている。色素情報については、後述する（図６）。さらに、記憶部３３０は、センサユニット２００等の外部から入力された各種データを揮発的（一時的）にあるいは不揮発的に記憶する。
【００４８】
制御部３２０は、当該各種のプログラムおよびデータを用いて、後述する処理を実現する。以下、制御部３２０の処理内容について説明する。
【００４９】
制御部３２０の取得部３２１は、通信処理部３１０を介して、センサユニット２００から、太陽光モジュール１００の出力情報（発電量，電圧値，電流値）、温度情報、天気情報を取得する。なお、制御部３２０は、太陽光モジュールが設置されている場所の天気情報を、センサユニット２００以外の装置から取得してもよい。また、取得部３２１は、スペクトル測定センサ２４０からスペクトル情報を取得する。なお、スペクトル情報は、波長と当該波長における強度とを、波長毎に表した情報である。
【００５０】
判定部３２２は、太陽光モジュール１００が異常であるか否かを判定する。以下では、判定部３２２が、発電量と電圧値と電流値との３つを用いて、異常か否かを判定する場合を例に挙げて説明する。なお、発電量と電圧値と電流値とのうち１つまたは２つを用いて、太陽光モジュール１００が異常か否かを判定するように、判定部３２２を構成してもよい。この場合、発電量と電圧値と電流値とのうち、太陽光モジュール１００が異常か否かを判定するために用いる情報のみを管理サーバ装置３００に送信するように、データ処理装置２６０を構成すればよい。
【００５１】
まず、判定部３２２は、天気情報、温度情報、定格出力、経年劣化に伴う予測出力、および設置年月に基づいて、太陽光モジュール１００の異常を判定するための閾値の値を決定する。判定部３２２は、発電量に関する閾値と、電圧値に関する閾値と、電流値に関する閾値とを決定する。すなわち、判定部３２２は、異常を判定するために利用する情報毎に閾値を決定する。なお、予め記憶部３３０に格納されている複数の閾値から各上記閾値を判定部３２２が選択する構成であってもよいし、あるいは予め記憶部３３０に格納されたプログラムを用いて各上記閾値を判定部３２２が算出する構成であってもよい。閾値の決定方法は特に限定されるものではない。
【００５２】
判定部３２２は、太陽光モジュール１００の出力情報と、当該閾値とに基づいて、太陽光モジュール１００が異常であるか否かを判定する。判定部３２２は、異常であると判定した場合、取得部３２１に対して、予め定められた情報（たとえば、太陽光モジュール１００が異常であることを示す情報）を送る。あるいは、判定部３２２は、予め定められたフラグを立てる。
【００５３】
取得部３２１は、予め定められた情報を判定部３２２から受け付けた場合（あるいは、フラグが立っている場合）、液面測定センサ２１０に対して、液体電解質Ｌの液面Ｌｓの高さに応じた信号を出力させるための指示を送信する。
【００５４】
具体的には、取得部３２１は、太陽光モジュール１００が異常であると判定された場合、データ処理装置２６０の制御部２６１に対して、液面測定センサ２１０による測定結果（液面情報）を管理サーバ装置３００に送信するように、指示を送る。制御部２６１は、当該指示を受け付けた場合、液面測定センサ２１０を動作（稼働）させ、液面測定センサ２１０から測定結果を取得する。制御部２６１は、取得した測定結果を、管理サーバ装置３００に送信する。なお、制御部２６１は、当該指示を受け付けていない場合には、液面測定センサ２１０を動作させない。
【００５５】
判定部３２２は、上記信号（測定結果）が、液面Ｌｓの高さが予め定められた閾値以上であることを示すものか否かを判定する。判定部３２２は、判定結果を出力部３４０に通知する。また、判定部３２２は、液面Ｌｓの高さが予め定められた閾値未満であると判定した場合、その旨を選定部３２３に通知する。
【００５６】
出力部３４０は、判定手段による判定結果に基づいた出力を行なう。出力部３４０は、液面Ｌｓの高さが低下していない場合、その旨の表示および太陽光モジュール１００の装置ＩＤの表示を行なう。なお、この場合、当該表示を行なわないように、出力部３４０を構成してもよい。
【００５７】
また、出力部３４０は、液面Ｌｓの高さが低下している場合、その旨の警告表示および太陽光モジュール１００の装置ＩＤの表示を行なう。この場合、出力部３４０による出力は、管理サーバ装置３００のユーザが液面Ｌｓの高さが低下していることを認識できるものであれば、特に限定されるものではない。
【００５８】
なお、表示の代わりに、あるいは表示とともに、音声出力を行なうように、出力部３４０を構成してもよい。つまり、出力部３４０は、管理サーバ装置３００のユーザに液漏れを通知（報知）する構成であればよい。
【００５９】
選定部３２３は、判定部３２２によって液面Ｌｓの高さが予め定められた閾値未満であると判定された場合、判定部３２２から予め定められた通知を受け取る。選定部３２３は、スペクトル情報を用いて、複数の色素の中から太陽光モジュール１００に適した色素を選定する。つまり、色素は光電変換層Ｓに含まれるものであるため、選定部３２３は、最適な光電変換層Ｓを選定する構成であるとも言える。
【００６０】
選定部３２３は、選定結果（奨励色素）を出力部３４０に通知する。この場合、出力部３４０は、選定結果を表示する。なお、選定部３２３の選定処理の詳細については、後述する（図６）。
【００６１】
図５は、管理サーバ装置３００の制御部３２０における入出力されるデータを表した図である。図５を参照して、制御部３２０には、センサユニット２００から、入力データとして、発電量と、電圧値と、電流値と、温度情報と、スペクトル情報と、液面情報と、天候情報とを受け付ける。制御部３２０は、出力データとして、太陽光モジュール１００の装置ＩＤと、発電量と、太陽光モジュール１００の劣化の有無と、太陽光モジュール１００の設置場所と、奨励色素とを太陽光モジュール１００毎に出力部３４０から出力する。
【００６２】
制御部３２０は、記憶部３３０に格納された装置情報（装置ＩＤ，型番，設置場所，定格出力，経年劣化に伴う予測出力，設置日，太陽電池セル１０１の交換日，太陽電池セル１０１の耐用年数等）と、後述する色素情報（図６）とに基づいて、上記出力を行なう。
【００６３】
なお、制御部３２０は、上記出力を行なう場合に、装置情報の全てを同時に用いる必要はない。制御部３２０は、出力する情報の種別に応じて、装置情報に含まれる複数の情報のうち、必要な情報を利用する。また、色素情報は、上述したように、選定部３２３による選定を行なうときに利用される。
【００６４】
＜Ｃ．データ＞
図６は、記憶部３３０に予め格納されている色素情報６００を説明するための図である。図６（Ａ）は、色素情報６００を表した図である。図６（Ｂ）は、各色素についての光の吸収特性を表した図である。図６（Ｂ）は、データＤ１，Ｄ２，Ｄ７の具体例を表した図でもある。
【００６５】
図６（Ａ）を参照して、色素情報６００は、色素ＩＤと、吸収特性とが対応付けられている。たとえば、色素ＩＤ“００１”と、吸収特性を示すデータＤ１とが対応付けられている。つまり、色素情報６００では、各色素ＩＤで特定される各色素の吸収特性が示されている。なお、データＤ１，Ｄ２,…，Ｄ７，…の各々は、具体的には、波長と当該波長における吸収率との関係を波長毎に表したものである。
【００６６】
図６（Ｂ）を参照して、３つのデータＤ１，Ｄ２，Ｄ７を比べると以下のことが言える。４８０ｎｍ未満の波長においては、色素ＩＤが“００２”の色素の吸収率が一番高い（データＤ２）。また、４８０ｎｍ以上６２０ｎｍ未満の波長においては、色素ＩＤが“００１”の色素の吸収率が一番高い（データＤ１）。また、６２０ｎｍ以上６８０未満の波長においては、色素ＩＤが“００２”の色素の吸収率が一番高い（データＤ２）。また、６８０ｎｍ以上の波長においては、色素ＩＤが“００７”の色素の吸収率が一番高い（データＤ７）。このように、各色素は、波長に対する吸収特性が互いに異なる。
【００６７】
選定部３２３は、スペクトル情報と、色素情報６００とを用いて、複数の色素の中から液漏れしている太陽光モジュール１００に適した色素を選定する。たとえば、液漏れしている太陽光モジュール１００が設置されている場所の太陽光のスペクトル情報が、５００ｎｍ付近で強度がピークとなっている場合には、選定部３２３は、色素ＩＤ“００１”で特定される色素を、当該太陽光モジュール１００に対する奨励色素として選定する。また、液漏れしている太陽光モジュール１００が設置されている場所の太陽光のスペクトル情報が、８００ｎｍ付近で強度がピークとなっている場合には、選定部３２３は、色素ＩＤ“００７”で特定される色素を、当該太陽光モジュール１００に対する奨励色素として選定する。
【００６８】
このような処理により、液体電解質Ｌが液漏れしている太陽電池セル１０１を交換する際に、太陽光モジュールの設置場所に適した色素を有する光電変換層Ｓを選択することが可能となる。たとえば、光電変換層Ｓと液体電解質Ｌとがセット商品としてラインナップされている場合には、太陽光モジュールの設置場所に適した色素を有する光電変換層Ｓを含む商品を選択することにより、太陽電池セル１０１（つまり光電変換層Ｓおよび液体電解質Ｌ）を交換した後の太陽光モジュール１００の発電量を、交換前により多くすることが可能となる。太陽電池セルの交換の方法としては、液漏れ部を封止して光電変換層と液体電解質を補充もしくは新規商品と置換する方法も考えられる。また、液漏れしたセルの交換を行う際に、ついでに周囲のセルを同時に交換してしまうことも可能である。こうすることで、将来的に保守点検のために現場へ出向く頻度を下げることにより、メンテナンス費用の低減が可能である。
【００６９】
なお、選定部３２３は、複数の色素から少なくとも１つの色素を選定する構成であればよい。つまり、選定部３２３は、スペクトル情報と色素情報６００とを用いて、１つの色素を選定してもよいし、複数の色素を選定してもよい。複数の色素を選定する場合には、、たとえば、スペクトル情報で示される波長の強度が高い順に選定するように、選定部３２３を構成すればよい。また、選択される色素の上限数を予め定めておいてもよい。また、複数の色素を選択する場合には、強度に関する基準を予め設け、当該基準を満たした色素のみが選択されるように選定部３２３を構成することが、適していない色素が選択されてしまうのを防止する観点から好ましい。
【００７０】
図７は、経年劣化に伴う予測出力を表した図である。図７を参照して、太陽光モジュール１００は、経年劣化により、時間の経過とともに出力が低下することが知られている。曲線Ｃ７は、時間と発電量（出力）との対応関係を表している。たとえば、設置してから時間ｔ１が経過した場合には、発電量がＰ１に低下する。判定部３２２は、このような経年劣化に伴う予測出力を利用することにより、太陽光モジュール１００が異常か否かをより精度よく判定することが可能となる。
【００７１】
たとえば、管理サーバ装置３００は、上記発電量Ｐ１に対して、天候情報、温度情報等の各種のデータを用いた補正を行なうことにより、時間ｔ１における発電量の閾値（太陽光モジュール１００の故障または劣化判断に用いる閾値）を決定する。
【００７２】
＜Ｄ．制御構造＞
図８は、管理サーバ装置３００がスペクトル情報を利用しない場合における、管理サーバ装置３００における処理の流れを表したフローチャートである。つまり、図８は、選定部３２３による色素の選定処理を実行しない場合の処理の流れを表したフローチャートである。
【００７３】
図８を参照して、ステップＳ２において、管理サーバ装置３００（詳しくはＣＰＵ）は、発電量、電圧値、電流値、温度情報、天候情報、およびスペクトル情報をセンサユニット２００から取得する。なお、この場合、スペクトル情報の取得は必須ではない。
【００７４】
ステップＳ４において、管理サーバ装置３００は、太陽光モジュール１００の出力と閾値とを比較することにより、太陽光モジュール１００が故障または劣化しているか否かを判断する。管理サーバ装置３００は、故障または劣化していると判断した場合（ステップＳ４においてＹＥＳ）、ステップＳ６において、管理サーバ装置３００からの遠隔処理により、液面測定センサ２１０を動作させ、液面測定センサ２１０から液面情報（測定結果）を取得する。一方、管理サーバ装置３００は、故障も劣化もしていないと判断した場合（ステップＳ４においてＮＯ）、一連の処理を終了する。
【００７５】
ステップＳ８において、管理サーバ装置３００は、故障または劣化していると判断された太陽光モジュール１００において液体電解質Ｌが漏れているか否かを、センサユニット２００から取得した液面情報（測定結果）に基づいて判断する。管理サーバ装置３００は、液体電解質Ｌが漏れていると判断した場合（ステップＳ８においてＹＥＳ）、ステップＳ１６において、液漏れが発生していることを通知する。
【００７６】
管理サーバ装置３００は、液体電解質Ｌが漏れていないと判断した場合（ステップＳ８においてＮＯ）、太陽電池セル１０１の使用期間と太陽電池セル１０１の耐用年数とを比較することにより、太陽電池セル１０１の交換が必要か否かを判断する。すなわち、管理サーバ装置３００は、太陽電池セル１０１の使用期間が耐用年数よりも長い場合には、太陽電池セル１０１の交換が必要と判断する。
【００７７】
管理サーバ装置３００は、太陽電池セル１０１の交換が必要であると判断した場合（ステップＳ１０においてＹＥＳ）、ステップＳ１２において、太陽電池セル１０１の交換が必要なことを出力部３４０を用いて通知する。管理サーバ装置３００は、太陽電池セル１０１の交換が不要であると判断した場合（ステップＳ１０においてＮＯ）、ステップＳ１４において、太陽光モジュール１００において、太陽電池セル１０１以外の部位で不具合が発生している旨を出力部３４０を用いて通知する。
【００７８】
上記各通知を受けた管理サーバ装置３００のユーザは、太陽光モジュール１００のメンテナンスを行なうために、必要な手配（保守依頼）を行なうことになる。なお、保守依頼を行なう際に、管理サーバ装置３００による判定結果を併せて保守担当者に通知することにより、保守担当者は事前に準備を行なうことができるため、現地において迅速かつ的確な保守が可能となる。
【００７９】
ところで、故障または劣化していると判定されたときのみ、液体電解質Ｌが漏れているか否かを判断する理由は、以下のとおりである。液漏れは、偶発的な原因を除けば、耐用年数付近で多くなる。このように、液漏れは常に一定頻度で発生するわけではない。このため、太陽光モジュール１００が故障または劣化したと判断されたときのみに液面測定センサ２１０を動作させることにより、センサユニット２００における省エネルギーを図っている。これにより、液面測定センサ２１０のライフサイクルコストの低減が実現できる。
【００８０】
なお、ステップＳ８の処理とステップＳ１０の処理との順序は、上記の順序に限定されず、ステップＳ１０の処理の後にステップＳ８の処理を実行するように、管理サーバ装置３００を構成してもよい。液漏れの故障であっても耐用年数を超えているセルの場合、セル交換の対応の方が良い場合があるためである。
【００８１】
図９は、管理サーバ装置３００がスペクトル情報を利用する場合における、管理サーバ装置３００における処理の流れを表したフローチャートである。つまり、図９は、選定部３２３による色素の選定処理を実行する場合の処理の流れを表したフローチャートである。
【００８２】
図９を参照して、管理サーバ装置３００は、図８のステップＳ１２の代わりに、ステップＳ１０２およびステップＳ１０４を行なう点において、図８のフローチャートとは異なる。図９の他のステップは、図８の各ステップと同じである。このため、以下では、ステップＳ１０２とステップＳ１０４とについて説明する。
【００８３】
管理サーバ装置３００は、太陽電池セル１０１の交換が必要であると判断した場合（ステップＳ１０においてＹＥＳ）、ステップＳ１０２において、スペクトル情報と色素情報とから最適な色素を選定する。管理サーバ装置３００は、ステップＳ１０４において、太陽電池セル１０１の交換が必要であること、および最適な色素（奨励色素）を出力部３４０を用いて通知する。
【００８４】
なお、管理サーバ装置３００は、液体電解質Ｌが漏れていると判断した場合（ステップＳ８においてＹＥＳ）、ステップＳ１６を実行する前に、ステップＳ１０２と同様の処理を行なってもよい。この場合には、管理サーバ装置３００は、ステップＳ１６において、液漏れが発生していることと、最適な色素とについて通知することになる。
【００８５】
＜Ｅ．ハードウェア構成＞
図１０は、管理サーバ装置３００のハードウェア構成を表わすブロック図である。図１０を参照して、管理サーバ装置３００は、主たる構成要素として、プログラムを実行するＣＰＵ３５１と、管理サーバ装置３００の使用者による指示の入力を受けるマウス３５２およびキーボード３５３と、ＣＰＵ３５１によるプログラムの実行により生成されたデータ、又はマウス３５２若しくはキーボード３５３を介して入力されたデータを揮発的に格納するＲＡＭ３５４と、データを不揮発的に格納するハードディスク３５５と、ＤＶＤ−ＲＯＭ駆動装置３５６と、モニタ３５７と、通信ＩＦ３５８とを含む。各構成要素は、相互にデータバスによって接続されている。ＤＶＤ−ＲＯＭ駆動装置３５６には、ＤＶＤ−ＲＯＭ３６１が装着される。
【００８６】
管理サーバ装置３００における処理は、各ハードウェアおよびＣＰＵ３５１により実行されるソフトウェアによって実現される。このようなソフトウェアは、ハードディスク３５５に予め記憶されている場合がある。また、ソフトウェアは、ＤＶＤ−ＲＯＭ３６１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＤＶＤ−ＲＯＭ駆動装置３５６その他の読取装置によりその記憶媒体から読取られて、あるいは、通信ＩＦ３５８を介してダウンロードされた後、ハードディスク３５５に一旦格納される。そのソフトウェアは、ＣＰＵ３５１によってハードディスク３５５から読み出され、ＲＡＭ３５４に実行可能なプログラムの形式で格納される。ＣＰＵ３５１は、そのプログラムを実行する。
【００８７】
同図に示される管理サーバ装置３００を構成する各構成要素は、一般的なものである。したがって、本発明の本質的な部分は、ＲＡＭ３５４、ハードディスク３５５、ＤＶＤ−ＲＯＭ３６１その他の記憶媒体に格納されたソフトウェア、あるいはネットワークを介してダウンロード可能なソフトウェアであるともいえる。なお、管理サーバ装置３００の各ハードウェアの動作は周知であるので、詳細な説明は繰り返さない。
【００８８】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを含む）、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００８９】
ここでいうプログラムとは、ＣＰＵにより直接実行可能なプログラムだけでなく、ソースプログラム形式のプログラム、圧縮処理されたプログラム、暗号化されたプログラム等を含む。
【００９０】
＜Ｆ．まとめ＞
管理サーバ装置３００は、以下の構成を有すると言え得る。
【００９１】
（１）管理サーバ装置３００の取得部３２１は、湿式の太陽光モジュール１００の太陽電池セル１０１（光電変換素子）に含まれる液体電解質Ｌの液面の高さに応じた信号を出力する液面測定センサから、当該信号を取得する。判定部３２２は、当該信号が、液面Ｌｓの高さが閾値以上であることを示すものか否かを判定する。出力部３４０は、判定部３２２による判定結果に基づいた出力を行なう。
【００９２】
したがって、管理サーバ装置３００のユーザは、太陽光モジュール１００に含まれる液体電解質Ｌの液漏れが発生しているか否かを、太陽光モジュール１００が設置された場所とは異なる場所で判定可能となる。それゆえ、太陽光モジュール１００の保守担当者が太陽光モジュール１００の設置場所へ行く回数を低減できる。また、現地での実証を行なう必要がなくなるため、メンテナンスコストの低減が可能となる。
【００９３】
（２）取得部３２１は、太陽光モジュール１００の出力を表した出力情報を出力する出力測定センサ２５０から、出力情報をさらに取得する。判定部３２２は、出力された出力情報に基づき、太陽光モジュール１００が正常または異常であるかを判定する。判定部３２２は、太陽光モジュール１００が異常であると判定した場合に、上記信号が、液面Ｌｓの高さが閾値以上であることを示すものか否かを判定する。
【００９４】
太陽光モジュール１００が正常であるときには、通常、液体電解質Ｌの漏れは発生していない。このため、太陽光モジュール１００が正常であるときには、必ずしも、液体電解質Ｌの漏れが発生しているか否かを判断することは必要であるとはいえない。このため、太陽光モジュール１００が正常まはた異常にかかわらず、液面測定センサ２１０から受信した信号が液面Ｌｓの高さが閾値以上であることを示すものか否かを判定する構成に比べて、管理サーバ装置３００におけるデータ処理を低減することができる。
【００９５】
（３）取得部３２１は、太陽光モジュール１００が設置された場所に照射される太陽光のスペクトル情報を出力するスペクトル測定センサ２４０から、スペクトル情報をさらに取得する。記憶部３３０は、太陽電池セル１０１の光電変換層Ｓに用いることが可能な複数の色素（光増感素子）の各々について、波長と当該波長における吸収率との関係を波長毎に表した色素の特性情報を記憶している。選定部３２３は、特性情報およびスペクトル情報に基づいて、複数の色素から１つの色素を選定する。出力部３４０は、選定された色素をさらに出力する。
【００９６】
したがって、太陽光モジュール１００の設置場所に最適な色素を選定することが可能となる。それゆえ、太陽光モジュール１００の発電量を増加させることができる。
【００９７】
（４）取得部３２１は、太陽光モジュール１００が異常であると判定された場合に、液面測定センサ２１０に対して上記信号（測定結果）を出力させるための指示を送信し、太陽光モジュール１００が正常であると判定された場合には、当該指示を送信しない。
【００９８】
したがって、センサユニット２００における省エネルギーを図ることができる。加えて、液面測定センサ２１０のライフサイクルコストの低減が実現できる。
【００９９】
＜Ｇ．変形例＞
（１）図１１は、液面測定センサ２１０とは異なる液面測定センサ２９０を用いた構成を説明するための図である。図１１を参照して、液面測定センサ２９０は、電位差測定式のセンサデバイスである。液面測定センサ２９０は、液面測定センサ２１０と同様に、太陽光モジュール１００の光電変換素子に含まれる液体電解質Ｌの液面の高さに応じた信号を出力する。太陽光発電システム１は、このような液面測定センサ２９０を用いた場合であって、液面測定センサ２１０を用いたときと同様の処理を行なうことができる。
【０１００】
なお、太陽光モジュール１００における全ての太陽光電池セル１０１に関する液面の情報を得るためには、液面測定センサ２９０を全ての太陽光電池セル１０１に設置しなければならない。このため、全ての太陽光電池セル１０１に関する液面の情報を得る場合、液面測定センサ２９０を用いる構成では、上述した液面測定センサ２１０と導波路２２０とを利用する構成に比べて、多くの液面測定センサが必要になる。それゆえ、液面測定センサ２９０を用いる場合、コスト削減を図るためには、全ての太陽光電池セル１０１に関する液面の情報を得ることはできないが、センサユニットをたとえば１つの太陽光モジュール１００に対して１個の液面測定センサ２９０を備えるような簡易な構成とすればよい。
【０１０１】
（２）図１２は、太陽光モジュール１００をマンションの屋上Ｒに設置した状態を表した図である。図１２を参照して、太陽光モジュール１００は、屋上Ｒにおいて架台１２００によって固定される。このように、太陽光モジュール１００の設置場所および方法は、特に限定されるものではない。
【０１０２】
（３）出力測定センサ２５０は、太陽光モジュール１００毎ではなく、太陽電池セル１０１毎に設けてもよい。この構成の場合には、太陽電池セル１０１毎の故障または劣化を判断できる。それゆえ、管理サーバ装置３００は、太陽光モジュール１００の故障または劣化の判断時に、故障または劣化に関する詳細な情報を取得することができる。したがって、出力測定センサ２５０を太陽電池セル１０１毎に設ける構成とすることにより、太陽光モジュール１００の故障または劣化判断の精度を向上させることができる。
【０１０３】
（４）発電量は、太陽光モジュール１００の種類に応じて、太陽光モジュール１００の温度１度の上昇に対して或る一定の低減率がある。このため、太陽光モジュール１００の温度を測定しておき、当該測定結果を考慮して、太陽光モジュール１００の故障または劣化を判断することが精度を向上させる観点から好ましい。この場合、具体的には、温度センサを備えるようにセンサユニット２００を構成し、温度センサが測定結果をデータ処理装置２６０に送るようにすればよい。
【符号の説明】
【０１０４】
１  太陽光発電システム、１０  湿式太陽光発電装置、１００  太陽光モジュール、１０１  太陽電池セル、１１１  反射板、１１１ａ  反射面、１１２  窓、２００  センサユニット、２１０，２９０  液面測定センサ、２１１  発光素子、２１２  受光素子、２２０  導波路、２４０  スペクトル測定センサ、２５０  出力測定センサ、２６０  データ処理装置、２６１，３２０  制御部、２６２，３１０  通信処理部、３００  管理サーバ装置、３２１  取得部、３２２  判定部、３２３  選定部、３３０  記憶部、３４０  出力部、３５１  ＣＰＵ、３５４  ＲＡＭ、３５５  ハードディスク、３５７  モニタ、３５８  通信ＩＦ、３６１  ＲＯＭ、６００  色素情報、９００  ネットワーク、１２００  架台、Ｃ７  曲線、Ｄ１，Ｄ２，Ｄ７  データ、Ｌ  液体電解質、Ｌｓ  液面、Ｒ  屋上、Ｓ  光電変換層。
【図１】
2014020991.tif 000003
【図２】
2014020991.tif 000004
【図３】
2014020991.tif 000005
【図４】
2014020991.tif 000006
【図５】
2014020991.tif 000007
【図６】
2014020991.tif 000008
【図７】
2014020991.tif 000009
【図８】
2014020991.tif 000010
【図９】
2014020991.tif 000011
【図１０】
2014020991.tif 000012
【図１１】
2014020991.tif 000013
【図１２】
2014020991.tif 000014